(57)【要約】【課題】  換気ファンの風音と振動によって引き起こされる悪影響を低下することができる空気調和機を提供することである。【解決手段】  空気調和機（室内機）１００は電装ボックス１５０と換気ファン１６０とゴム体１１、２１および３１とを備える。電装ボックス１５０には電装基板が収容されている。換気ファン１６０は電装ボックスに取り付けられ、換気するためのものである。弾性体としてゴム体１１、２１および３１は電装ボックス１５０と換気ファン１６０との間に配置されている。【選択図】        図４
2005140430.tif 000002
【特許請求の範囲】
【請求項１】
電装基板が収容された電装ボックスと、
前記電装ボックスに取り付けられた、室内空気を換気するための換気ファンと、
前記電装ボックスと前記換気ファンとの間に配置された弾性体とを備える、空気調和機。
【請求項２】
前記弾性体は凹部を有し、前記換気ファンは取り付け板部分を含み、前記取り付け板部分が前記凹部に密着するように前記弾性体が配置されている、請求項１に記載の空気調和機。
【請求項３】
前記弾性体は、ほぼ柱状の形状を有し、その柱状形状において相対的に大きな径の第１と第２の大径部分と、前記第１と第２の大径部分の間に位置づけられた相対的に小さな小径部分とを含み、前記凹部が前記大径部分と前記小径部分とによって形成され、前記換気ファンの取り付け板部分が前記第１と第２の大径部分との間に挟まれて密着している、請求項２に記載の空気調和機。
【請求項４】
前記換気ファンの取り付け板部分は、前記弾性体の小径部分の周りを取り囲むことができるように延びた二つの腕部分を有する、請求項３に記載の空気調和機。
【請求項５】
前記弾性体は柱状形状の高さ方向に延びる貫通穴を有し、前記電装ボックスは前記弾性体の貫通穴に挿通する突出部を含み、さらに、
前記電装ボックスの突出部に固着されることによって前記換気ファンを前記電装ボックスに固定するための締め付け部材を備え、
前記締め付け部材と前記弾性体との間に隙間が存在した状態で前記換気ファンは前記電装ボックスに固定されている、請求項４に記載の空気調和機。
【発明の詳細な説明】
【技術分野】
【０００１】
この発明は、空気調和機に関し、特定的には室内の空気を換気することができるようにした空気調和機の室内機に関するものである。
【背景技術】
【０００２】
空気調和機は、冷媒と室内空気との間での熱交換と冷媒と室外空気との間での熱交換を行うために室内機と室外機のそれぞれに熱交換器を備えている。さらに熱交換器とともに冷媒の循環回路が構成された空気調和機によって室内の冷暖房が実現されている。
【０００３】
ところで、上記のような空気調和機のうち、空気調和される室内の換気を行なうために室内の空気を室外に排出する換気装置が備えられたものがある。このような空気調和機において、室内ユニットの限られたスペースを有効に利用してメンテナンスサービスなどの作業性を改善したものが、たとえば、特開２０００−１７１０５５号公報（特許文献１）で提案されている。
【０００４】
この空気調和機の室内ユニットは、吸込口から室内空気を吸い込みかつ吹出し口から吹き出すためのファンと、室内空気と室外ユニットから供給された冷媒との間で熱交換を行なう室内熱交換器と、換気ファンとこの換気ファンに連結される換気ホースとを具備し室内空気を吸引して室外へ排気する換気装置と、各種電気回路素子よりなる室内ユニット制御部とを備え、室内ユニット制御部に換気ファンを固定して、室内ユニット制御部と換気ファンとを一体化したことを特徴とするものである。
【特許文献１】特開２０００−１７１０５５号公報
【発明の開示】
【発明が解決しようとする課題】
【０００５】
上記の公報に提案された空気調和機の室内ユニットでは、メンテナンスなどの作業性が向上するものの、換気ファンが各種電気回路素子よりなる室内ユニット制御部に一体化されているので、換気ファンの風音と振動が大きくなると、室内ユニット制御部に伝播することによって悪影響が発生するという問題がある。たとえば、換気ファンを強のレベルで運転すると、換気ファンの風音が大きくなり、騒音となるだけでなく、制御部が共に振動して騒音を引き起こす場合があった。
【０００６】
また、換気ファンの振動が室内ユニット制御部に伝播することによって、室内制御ユニットの内部に収容された電装基板上で各種電気回路素子の取り付け箇所において半田付け部分または配線接続部分等にクラック等が発生するという問題があった。このため、配線接続不良等が引き起こされ、室内ユニット制御部の信頼性が低下する可能性があった。
【０００７】
なお、換気ファンの風音と振動が大きくなると、換気ファンの回転数を低下させることによって上記の問題を解消することが考えられる。しかし、換気ファンの回転数を低下させると、所望の換気性能・効果を得ることができないという問題があった。
【０００８】
そこで、この発明の目的は、換気ファンの風音と振動によって引き起こされる悪影響を低下することができる空気調和機を提供することである。
【課題を解決するための手段】
【０００９】
この発明に従った空気調和機は、電装ボックスと換気ファンと弾性体とを備える。電装ボックスには電装基板が収容されている。換気ファンは、電装ボックスに取り付けられ、室内空気を換気する。ここで、換気とは、室内空気を吸い込み室外へ排気するだけでなく、室外空気を吸い込み室内へ送ることも含む。弾性体は、電装ボックスと換気ファンとの間に配置されている。
【００１０】
この発明の空気調和機においては、電装ボックスと換気ファンとの間に弾性体を配置することによって換気ファンが電装ボックスに取り付けられている。このため、電装ボックスに一体的に換気ファンを固定するように取り付けた場合においても、換気ファンの振動が電装ボックスを通じて電装基板に伝播するのを防止することができる。これにより、電装基板上の半田付け部分、配線接続部分等にクラック等の不良が発生するのを防止することができる。したがって、電装部の信頼性を向上させることができる。
【００１１】
また、弾性体が換気ファンの発生する振動を吸収し、他の構成部材に伝達するのを防止することができる。これにより、空気調和機の換気ファンの運転時において、振動を防止することができるとともに騒音を防止することができる。
【００１２】
この発明に従った空気調和機において、弾性体は凹部を有し、換気ファンは取り付け板部分を含むのが好ましい。取り付け板部分が凹部に密着するように弾性体は配置されているのが好ましい。この場合、換気ファンの取り付け板部分が弾性体の凹部に密着しているので、より効果的に振動と騒音を防止することができる。
【００１３】
また、この発明に従った空気調和機において、弾性体は、ほぼ柱状の形状を有し、その柱状形状において相対的に大きな径の第１と第２の大径部分と、第１と第２の大径部分の間に位置づけられた相対的に小さな小径部分とを含むのが好ましい。凹部が大径部分と小径部分とによって形成され、換気ファンの取り付け板部分が第１と第２の大径部分との間に挟まれて密着しているのが好ましい。この場合、より効果的に振動と騒音を防止することができるとともに、弾性体を換気ファンの取り付け板部分に密着させた形態を簡単に構成することができる。
【００１４】
さらに、この発明に従った空気調和機においては、換気ファンの取り付け板部分は、弾性体の小径部分の周りを取り囲むことができるように延びた二つの腕部分を有するのが好ましい。この場合、弾性体に換気ファンの取り付け板部分を簡単に挿入することができるので、容易に密着固定させることができる。
【００１５】
この発明に従った空気調和機においては、弾性体は柱状形状の高さ方向に延びる貫通穴を有し、電装ボックスは弾性体の貫通穴に挿通する突出部を含むのが好ましい。空気調和機は、さらに、電装ボックスの突出部に固着されることによって換気ファンを電装ボックスに固定するための締め付け部材を備えるのが好ましい。締め付け部材と弾性体との間に隙間が存在した状態で換気ファンは電装ボックスに固定されているのが好ましい。
【００１６】
この場合、締め付け部材と弾性体との間に隙間を存在させることによって、より効果的に弾性体に振動を吸収させ、他の構成部材に振動が伝播しないようにすることができる。
【発明の効果】
【００１７】
以上のように、この発明によれば、空気調和機において発生する換気ファンの風音と振動によって引き起こされる悪影響を低下することができる。
【発明を実施するための最良の形態】
【００１８】
以下、この発明の一つの実施の形態を図に基づいて説明する。
【００１９】
図１は、本発明の一つの実施の形態として空気調和機の室内機の概略的な外観を示す斜視図である。図１に示すように、空気調和機（室内機）１００の筐体は、前面部側では開閉自在のオープンパネル１１０と、オープンパネル１１０が取り付けられた前カバー１２０とから構成され、背面部側では熱交換器、送風機ファン等を収容するキャビネット１３０とから構成される。
【００２０】
図２は、本発明の一つの実施の形態として前面カバーを取り外した状態の空気調和機の室内機の前面部を示す斜視図である。図２に示すように、オープンパネル１１０とともに前カバー１２０を取り外すと、キャビネット１３０に熱交換器１４０が収容されているのが見える。熱交換器１４０の右側には、電装ボックス１５０が配置されており、電装ボックス１５０の側部（図２では右側部下方）に換気ファン１６０が取り付けられている。
【００２１】
図３は本発明の一つの実施の形態として電装ボックスの側部を示す側面図、図４は換気ファンの取り付け部分を分解して示すとともに換気ファンが取り付けられる電装ボックスの側部を示す分解斜視図、図５は図３のＶ−Ｖ線に沿った部分断面を示す部分断面図である。
【００２２】
図３に示すように、電装ボックス１５０の側部、より具体的には電装ボックス１５０の側部下方に換気ファン１６０が配置されている。換気ファン１６０は、換気ファン取り付け構造１０、２０および３０によって電装ボックス１５０の側面に取り付けられて固定されている。図示されていないが、電装ボックス１５０の内部には、各種電気回路素子等が搭載された電装基板が収容されている。
【００２３】
図４に示すように、電装ボックス１５０の側部下方の隅の箇所、いいかえれば、側面の下方において左隅の箇所には、取り付けボス部１４、２４および３４が互いに間隔をあけて配置されて形成されている。取り付けボス部１４、２４および３４のそれぞれは、電装ボックス１５０の側面から突出するように柱状、好ましくは円柱状に形成され、中央部にねじ穴を有する。
【００２４】
図５に示すように、換気ファン１６０は、その内部にファン本体として、モータ１６２と、モータ１６２に接続された回転軸として軸１６３と、軸１６３に取り付けられた羽根１６５とを備えている。また、換気ファン１６０は、室内空気を吸い込み、室外に排気することができるように開口部と通路が形成されたファンケース１６１を備えている。室外から室外空気を吸い込み、室内へ送ることができるように換気ファンを構成してもよい。換気ファン１６０のファンケース１６１と軸１６３とは、板状の取り付けベース１６４に取り付けられている。
【００２５】
図４と図５に示すように、換気ファン１６０の取り付けベース１６４の外周部には、換気ファン取り付け板部分１２、２２および３２が、ファンケース１６１または羽根１６５を取り囲む外周の位置で互いに間隔をあけて配置されている。換気ファン取り付け板部分１２、２２および３２のそれぞれは、板状の取り付けベース１６４から外周方向に延びた環状の連続した腕部分を有し、好ましくは、取り付け用穴としての円形状の貫通穴を取り囲む環状の連続した腕部分を有する。環状の連続した腕部分は、ファンケース１６１から最も離れた部分において相対的に肉厚の薄い腕部分を有する。
【００２６】
図４に示すように、弾性体であるゴム体１１、２１および３１のそれぞれは、外周面がほぼ柱状の形状、好ましくは円柱状の形状を有し、中央部に貫通穴を有する。換気ファン取り付け板部分１２、２２および３２のそれぞれの相対的に肉厚の薄い腕部分を介して、ゴム体１１、２１および３１のそれぞれに換気ファン取り付け板部分１２、２２および３２のそれぞれの環状の連続した腕部分を挿入する。これにより、換気ファン取り付け板部分１２、２２および３２のそれぞれの環状の連続した腕部分を挟むようにゴム体１１、２１および３１のそれぞれが配置される。そして、取り付けボス部１４、２４および３４の外周面にゴム体１１、２１および３１の貫通穴を嵌め合わせるとともに、ビス１３、２３および３３を、ゴム体１１、２１および３１の貫通穴と換気ファン取り付け板部分１２、２２および３２の貫通穴に挿入して、取り付けボス部１４、２４および３４のねじ穴にねじ込む。これによって、換気ファン１６０は電装ボックス１５０の側面にゴム体１１、２１および３１を介在させて固定される。したがって、図５に示すように、電装ボックス１５０と換気ファン１６０との間にゴム体１１、２１および３１が配置されている。換気ファン取り付け構造１０はゴム体１１と換気ファン取り付け板部分１２とビス１３とによって構成され、換気ファン取り付け構造２０はゴム体２１と換気ファン取り付け板部分２２とビス２３とによって構成され、換気ファン取り付け構造３０はゴム体３１と換気ファン取り付け板部分３２とビス３３とによって構成されている。
【００２７】
以上のように、電装ボックス１５０と換気ファン１６０との間にゴム体１１、２１および３１を配置することによって換気ファン１６０が電装ボックス１５０に取り付けられている。このため、電装ボックス１５０に一体的に換気ファン１６０を固定するように取り付けた場合においても、換気ファン１６０の振動が電装ボックス１５０を通じて電装基板に伝播するのを防止することができる。これにより、電装基板上の半田付け部分、配線接続部分等にクラック等の不良が発生するのを防止することができる。したがって、電装部の信頼性を向上させることができる。
【００２８】
また、ゴム体１１、２１および３１が換気ファン１６０の発生する振動を吸収し、他の構成部材に伝達するのを防止することができる。これにより、空気調和機（室内機）１００の換気ファン１６０の運転時において、振動を防止することができるとともに騒音を防止することができる。
【００２９】
なお、電装ボックス１５０と換気ファン１６０とは一体的に取り付けられることにより、サブアセンブリとして構成されるので、ダミーの検査治具を用いる必要がなく、電装ボックス１５０の電装部品をそのまま用いて換気ファン１６０の部品としての電気的検査を行なうことができる。電装ボックス１５０内の各種電装部品が搭載されている電装基板の面と同じ側に換気ファン１６０を配置するように取り付け、電装ボックス１５０に適宜通風口を設けることによって、換気ファン１６０によって電装ボックス１５０内の冷却効果も期待できる。
【００３０】
図６は、図５における換気ファンの取り付け部分を拡大して示す部分断面図である。図６に示すように、電装ボックス１５０の側面から突出した取り付けボス部１４のねじ穴にビス１３が挿入されてねじ込まれている。ゴム体１１の貫通穴が取り付けボス部１４の外周面に嵌め合わせられている。ゴム体１１は、凹部を有し、好ましくは外周面に凹部を有し、より好ましくは電装ボックス１５０の側面から相対的により離れた位置の外周面に凹部を有する。換気ファン取り付け板部分１２は板状の形状を有する。換気ファン取り付け板部分１２が凹部に密着するようにゴム体１１が配置されている。これにより、より効果的に振動と騒音を防止することができる。
【００３１】
また、図６に示すように、ゴム体１１は、ほぼ柱状の形状を有し、好ましくは円柱状の形状を有し、その柱状形状において相対的に大きな径の第１の大径部分１１ａと第２の大径部分１１ｃと、第１と第２の大径部分１１ａと１１ｃとの間に位置づけられた相対的に小さな小径部分１１ｂとを含む。凹部が大径部分１１ａ、１１ｃと小径部分１１ｂとによって形成されている。換気ファン１６０の換気ファン取り付け板部分１２が第１と第２の大径部分１１ａと１１ｃとの間に挟まれて密着している。これにより、より効果的に振動と騒音を防止することができるとともに、ゴム体１１を換気ファン１６０の取り付け板部分１２に密着させた形態を簡単に構成することができる。
【００３２】
さらに、図６に示すように、ゴム体１１は柱状形状の高さ方向に延びる貫通穴を有する。電装ボックス１５０はゴム体１１の貫通穴に挿通する突出部として取り付けボス部１４を含む。締め付け部材としてのビス１３は、電装ボックス１５０の取り付けボス部１４のねじ穴にねじ込まれて固着されている。このようにして換気ファン１６０が電装ボックス１５０に固定されている。この場合、好ましくは、図６に示すように、ビス１３の頭部の下面とゴム体１１の頂面との間に隙間が存在した状態で、ビス１３が取り付けボス部１４のねじ穴にねじ込まれることによって換気ファン１６０が電装ボックス１５０に固定されている。このように、ビス１３の頭部の下面とゴム体１１の頂面との間に隙間を存在させることによって、より効果的にゴム体１１に振動を吸収させ、他の構成部材に振動が伝播しないようにすることができる。具体的には、その隙間は０．５ｍｍ程度であるのが好ましい。なお、ゴム体１１の大径部分１１ａ、１１ｃの高さが３ｍｍ以上、小径部分１１ｂの高さが１．２ｍｍ程度であるのが好ましい。
【００３３】
図７は、本発明のもう一つの実施の形態として換気ファンを示す斜視図である。図７に示すように、換気ファン１６０の換気ファン取り付け板部分１５、２５および３５は、ゴム体の小径部分の周りを取り囲むことができるように延びた二つの腕部分を有し、すなわち、板状の取り付けベースから外周方向に延びて分離した二つの腕部分を有し、好ましくは、取り付け用穴としての円形状の貫通穴を取り囲み、分離した二つの腕部分を有する。二つの腕部分は、ファンケースから最も離れた部分において分離している。この場合、ゴム体が換気ファン取り付け板部分１５、２５および３５を挟み込むように、換気ファン取り付け板部分１５、２５および３５を簡単にゴム体の凹部に挿入することができるので、換気ファン取り付け板部分１５、２５および３５を容易にゴム体に密着固定させることができる。
【００３４】
上述した実施の形態において、ゴム体１１、２１および３１は振動を吸収し得るだけの作用を少なくとも有するゴム材料、好ましくは防振ゴムであればよい。また、ゴム材料は６０度程度のゴム硬度を有するのが好ましい。さらに、上記の実施の形態では、弾性体としてゴムを用いたが、弾性を有する樹脂材料を用いてもよい。たとえば、発泡スチロール、エラストマー、または、エラストマーを混合したポリプロピレン（ＰＰ）系樹脂、等の弾性を有する樹脂材料を用いてもよい。好ましい弾性体としては、ゴムと同等の弾性を有する樹脂材料を用いるのがよい。換気ファン１６０の換気ファン取り付け板部分１２、２２、３２、１５、２５および３５は金属板から形成されるのが好ましく、電装ボックス１５０は樹脂材料から形成されるのが好ましい。
【００３５】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正や変形を含むものである。
【図面の簡単な説明】
【００３６】
【図１】本発明の一つの実施の形態として空気調和機の室内機の概略的な外観を示す斜視図である。
【図２】本発明の一つの実施の形態として前面カバーを取り外した状態の空気調和機の室内機の前面部を示す斜視図である。
【図３】本発明の一つの実施の形態として電装ボックスの側部を示す側面図である。
【図４】本発明の一つの実施の形態として換気ファンの取り付け部分を分解して示すとともに換気ファンが取り付けられる電装ボックスの側部を示す分解斜視図である。
【図５】図３のＶ−Ｖ線に沿った部分断面を示す部分断面図である。
【図６】図５における換気ファンの取り付け部分を拡大して示す部分断面図である。
【図７】本発明のもう一つの実施の形態として換気ファンを示す斜視図である。
【符号の説明】
【００３７】
１００:空気調和機（室内機）、１５０:電装ボックス、１６０:換気ファン、１０，２０，３０:換気ファン取り付け構造、１１，２１，３１:ゴム体、１１ａ：第１の大径部分、１１ｂ：小径部分、１１ｃ:第２の大径部分、１２，２２，３２:換気ファン取り付け板部分、１３，２３，３３：ビス、１３ａ：ねじ部、１４，２４，３４:取り付けボス部、１５，２５，３５:換気ファン取り付け板部分。
【図１】
2005140430.tif 000003
【図２】
2005140430.tif 000004
【図３】
2005140430.tif 000005
【図４】
2005140430.tif 000006
【図５】
2005140430.tif 000007
【図６】
2005140430.tif 000008
【図７】
2005140430.tif 000009